【手続補正書】
【提出日】平成17年12月28日(2005.12.28)
【手続補正１】
【補正対象書類名】明細書
【補正対象項目名】発明の名称
【補正方法】変更
【補正の内容】
【発明の名称】テレビジョン信号受信装置及び方法、表示制御装置及び方法
【手続補正２】
【補正対象書類名】明細書
【補正対象項目名】特許請求の範囲
【補正方法】変更
【補正の内容】
【特許請求の範囲】
【請求項１】  テレビジョン信号と前記テレビジョン信号に係る電子番組ガイドとを受信する受信手段と、
前記受信手段により受信した前記テレビジョン信号に対応する画像及び前記受信手段により受信した前記電子番組ガイドに対応する番組情報を表示する表示手段と、
前記表示手段により表示された前記番組情報の一部を指定する指定手段と、
前記指定手段により指定された前記番組情報の一部を所定の表示情報に変換することで前記表示手段により表示された前記番組情報を間引くとともに、前記表示手段により表示された前記電子番組ガイドの他の番組情報を表示するように前記表示手段を制御する制御手段と、を有することを特徴とするテレビジョン信号受信装置。
【請求項２】  前記所定の表示情報は所定のキャラクタを表すキャラクタ情報を含むことを特徴とする請求項１に記載のテレビジョン信号受信装置。
【請求項３】  前記所定の表示情報は所定の表示領域を示す領域表示情報を含むことを特徴とする請求項１に記載のテレビジョン信号受信装置。
【請求項４】  前記所定の表示情報は、前記指定手段によって指定された部分の前記電子番組ガイドに関する番組情報に従い、異なる表示色であることを特徴とする請求項３に記載のテレビジョン信号受信装置。
【請求項５】  前記表示手段は前記電子番組ガイドに関する番組情報を通常表示する第一のモードと、変換前に前記番組情報を表示していた位置に対応させて前記所定の表示情報を表示する第二のモードとを有することを特徴とする請求項１に記載のテレビジョン信号受信装置。
【請求項６】  前記表示手段は前記第一のモードと前記第二のモードとを切り換えるための切換手段を有することを特徴とする請求項５に記載のテレビジョン信号受信装置。
【請求項７】  前記制御手段は前記受信手段により受信された前記電子番組ガイドに関する前記番組情報を通常表示した第一の画像と、変換前に前記番組情報を表示していた位置に対応させて前記所定の表示情報を表示した第二の画像とを多重して表示するように前記表示手段を制御することを特徴とする請求項１に記載のテレビジョン信号受信装置。
【請求項８】  前記制御手段は前記受信手段により受信された前記電子番組ガイドに関する前記番組情報を通常表示した第一の画像と、変換前に前記番組情報を表示していた位置に対応させて前記所定の表示情報を表示した第二の画像とを選択的に表示するように前記表示手段を制御することを特徴とする請求項１に記載のテレビジョン信号受信装置。
【請求項９】  前記電子番組ガイドは複数種類の項目を含み、前記指定手段は前記項目の中から少なくとも一つの項目を指定することを特徴とする請求項１に記載のテレビジョン信号受信装置。
【請求項１０】  前記電子番組ガイドに含まれる複数種類の項目は、チャンネル番号、番組名、放送日時を含むことを特徴とする請求項９に記載のテレビジョン信号受信装置。
【請求項１１】  前記制御手段は前記指定手段の操作を対話的に入力するための画面を表示するために前記表示手段を制御することを特徴とする請求項１に記載のテレビジョン信号受信装置。
【請求項１２】  テレビジョン信号と前記テレビジョン信号に係る電子番組ガイドを受信する受信手段と、
前記受信手段により受信した前記テレビジョン信号に対応するビデオ画像と、前記受信手段により受信した前記電子番組ガイドに対応する番組情報とを表示するように表示装置にビデオ信号を出力する出力手段と、
前記表示装置に表示された前記番組情報から任意の番組情報を指定する指定手段と、
前記指定手段により指定された前記番組情報の一部を所定の表示情報に変換することで前記表示装置に表示された前記番組情報を間引くとともに、前記表示装置に表示された前記電子番組ガイドの他の番組情報を表示するように前記出力手段を制御する制御手段と、を有することを特徴とするテレビジョン信号受信装置。
【請求項１３】  テレビジョン信号と前記テレビジョン信号に係る電子番組ガイドを受信する受信手段と、
前記受信手段により受信した前記電子番組ガイドに対応する番組情報を表示する表示手段と、
前記表示手段によって表示される前記番組情報の一部を、前記番組情報の表示領域内の当該番組情報の一部が表示される表示位置に所定の番組情報を表示するように変換することで前記表示手段によって表示される番組情報を間引くとともに、前記表示手段により表示される前記電子番組ガイドの他の番組情報を表示するように前記表示手段を制御する制御手段と、を有することを特徴とするテレビジョン信号受信装置。
【請求項１４】  前記所定の表示情報は所定のキャラクタを表すキャラクタ情報を含むことを特徴とする請求項１３に記載のテレビジョン信号受信装置。
【請求項１５】  前記表示手段によって表示される前記番組情報の一部を指定する指定手段をさらに有し、前記制御手段は前記指定手段によって指定された番組情報を所定の表示情報に変換し、表示するように前記表示手段を制御することを特徴とする請求項１３に記載のテレビジョン信号受信装置。
【請求項１６】  前記制御手段は前記指定手段によって指定された番組情報を前記所定の表示情報に自動的に変換することを特徴とする請求項１５に記載のテレビジョン信号受信装置。
【請求項１７】  前記制御手段は前記指定手段によって指定された番組情報を設定された条件に従って所定の表示情報に変換することを特徴とする請求項１３に記載のテレビジョン信号受信装置。
【請求項１８】  前記制御手段は、前記条件を設定するためのマニュアル設定手段を有することを特徴とする請求項１７に記載のテレビジョン信号受信装置。
【請求項１９】  番組情報をリスト形式で表示する表示手段と、
前記表示手段によってリスト形式で表示された任意の番組情報を指定する指定手段と、
前記指定手段によって指定された前記任意の番組情報を当該番組情報の属性を示す所定の表示情報に変換することで、前記表示手段によって表示される番組情報を間引くとともに、前記表示手段によって表示される前記リスト上に他の番組情報を表示するよう、前記表示手段を制御する制御手段と、を有し、
前記所定の表示情報は、前記指定手段によって指定された前記任意の番組情報が表示された場合のリストの表示位置に表示されることを特徴とする表示制御装置。
【請求項２０】  前記表示情報は所定のキャラクタを示すキャラクタ情報を含むことを特徴とする請求項１９に記載の表示制御装置。
【請求項２１】  前記番組情報は複数のテレビジョン番組情報であり、前記指定手段は前記テレビジョン番組のリスト表示から視聴不要なテレビジョン番組を指定するように構成されていることを特徴とする請求項１９に記載の表示制御装置。
【請求項２２】  前記表示手段は前記複数のテレビジョン番組情報を放送開始時間順にリストとして表示することを特徴とする請求項１９に記載に表示制御装置。
【請求項２３】  前記番組情報は複数のテレビジョン番組情報であり、前記指定手段は前記テレビジョン番組のリスト表示から視聴不要なテレビジョン番組を指定するように構成されていることを特徴とする請求項２２に記載の表示制御装置。
【請求項２４】  前記表示手段は番組情報を放送開始時間順と放送チャンネル番号順の２方向で表示することを特徴とする請求項１９に記載の表示制御装置。
【請求項２５】  前記番組情報は複数のテレビジョン番組情報であり、前記指定手段は前記テレビジョン番組のリスト表示から視聴不要なテレビジョン番組を指定するように構成されていることを特徴とする請求項２４に記載の表示制御装置。
【請求項２６】  テレビジョン信号と前記テレビジョン信号に係る電子番組ガイドとを受信する受信工程と、
前記受信工程により受信した前記テレビジョン信号に対応する画像及び前記受信工程により受信した前記電子番組ガイドに対応する番組情報を表示する表示工程と、
前記表示工程により表示された前記番組情報の一部を指定する指定工程と、
前記指定工程により指定された前記番組情報の一部を所定の表示情報に変換することで前記表示工程により表示された前記番組情報を間引くとともに、前記表示工程により表示された前記電子番組ガイドの他の番組情報を表示するように前記表示工程を制御する制御工程と、を有することを特徴とするテレビジョン信号受信方法。
【請求項２７】 テレビジョン信号と前記テレビジョン信号に係る電子番組ガイドを受信する受信工程と、
前記受信工程により受信した前記テレビジョン信号に対応するビデオ画像と、前記受信手段により受信した前記電子番組ガイドに対応する番組情報とを表示するように表示装置にビデオ信号を出力する出力工程と、
前記表示装置に表示された前記番組情報から任意の番組情報を指定する指定工程と、
前記指定工程により指定された前記番組情報の一部を所定の表示情報に変換することで前記表示装置に表示された前記番組情報を間引くとともに、前記表示装置に表示された前記電子番組ガイドの他の番組情報を表示するように前記出力工程を制御する制御工程と、を有することを特徴とするテレビジョン信号受信方法。
【請求項２８】 テレビジョン信号と前記テレビジョン信号に係る電子番組ガイドを受信する受信工程と、
前記受信工程により受信した前記電子番組ガイドに対応する番組情報を表示する表示工程と、
前記表示工程によって表示される前記番組情報の一部を、前記番組情報の表示領域内の当該番組情報の一部が表示される表示位置に所定の番組情報を表示するように変換することで前記表示工程によって表示される番組情報を間引くとともに、前記表示工程により表示される前記電子番組ガイドの他の番組情報を表示するように前記表示工程を制御する制御工程と、を有することを特徴とするテレビジョン信号受信方法。
【請求項２９】 番組情報をリスト形式で表示する表示工程と、
前記表示工程によってリスト形式で表示された任意の番組情報を指定する指定工程と、
前記指定工程によって指定された前記任意の番組情報を当該番組情報の属性を示す所定の表示情報に変換することで、前記表示工程によって表示される番組情報を間引くとともに、前記表示工程によって表示される前記リスト上に他の番組情報を表示するよう、前記表示工程を制御する制御工程と、を有し、
前記所定の表示情報は、前記指定工程によって指定された前記任意の番組情報が表示された場合のリストの表示位置に表示されることを特徴とする表示制御方法。
【手続補正３】
【補正対象書類名】明細書
【補正対象項目名】００１２
【補正方法】変更
【補正の内容】
【００１２】
【課題を解決するための手段】
本発明は、上述した課題に鑑みなされたものであり、テレビジョン信号と前記テレビジョン信号に係る電子番組ガイドを受信する受信手段と、前記受信手段により受信した前記テレビジョン信号に対応する画像及び前記受信手段により受信した前記電子番組ガイドに対応する番組情報を表示する表示手段と、前記表示手段により表示された前記番組情報の一部を指定する指定手段と、前記指定手段により指定された前記番組情報の一部を所定の表示情報に変換することで前記表示手段により表示された前記番組情報を間引くとともに、前記表示手段により表示された前記電子番組ガイドの他の番組情報を表示するように前記表示手段を制御する制御手段と、を有する。
【手続補正４】
【補正対象書類名】明細書
【補正対象項目名】００５５
【補正方法】変更
【補正の内容】
【００５５】
また、ユーザが図４におけるチェンジボタン４０６を押下すると、図９に示すような間引きＥＰＧ表示操作画面が表示される。間引きＥＰＧ表示操作画面では間引きＥＰＧ画面において所定のキャラクタに置き換えるチャンネルや時間帯、つまり間引かれＥＰＧの設定を行う。